(57)【要約】【課題】  ディスクと筐体との間隔が狭くても回転時のディスク変形を抑制できるディスクドライブ装置を提供する。【解決手段】  ディスクＤを回転駆動し、前記ディスクに記録された情報の再生及び／又は前記ディスクに情報を記録するディスクドライブ装置１であって、前記ディスクと対向して配置されるハウジング部材１０を備え、該ハウジング部材が前記ディスクの回転中心を中心点とする同心円上に複数の開口部１２を有している。開口部はディスクが回転したときに発生する装置内での空気密度差や空気流を効果的に減衰させることができる。しかも、開口を形成するものであるから、従来のように空気流制御用の突起部材を設ける場合と比較してハウジング部材をディスクに接近配置できる。【選択図】    図１
2006338839.tif 000002
【特許請求の範囲】
【請求項１】
ディスクを回転駆動し、前記ディスクに記録された情報の再生及び／又は前記ディスクに情報を記録するディスクドライブ装置であって、
前記ディスクと対向して配置されるハウジング部材を備え、該ハウジング部材が前記ディスクの回転中心を中心点とする同心円上に複数の開口部を有していることを特徴とするディスクドライブ装置。
【請求項２】
半径が異なる複数の同心円が設定され、前記開口部が前記ディスクの半径方向へ多重に配置されていることを特徴とする請求項１に記載ディスクドライブ装置。
【請求項３】
前記開口部が、長穴、丸穴及びこれらの組合せのいずれかにより形成されていることを特徴とする請求項１に記載ディスクドライブ装置。
【請求項４】
前記開口部が、前記ディスクを前記ハウジング部材に垂直投影したときの投影内に形成されていることを特徴とする請求項１から３のいずれか一項に記載のディスクドライブ装置。
【請求項５】
前記ハウジング部材を外側から覆うトップケースを更に備えており、
前記ハウジング部材と前記トップケースとの間には、前記複数の開口部の少なくとも一部を互いに接続する空間が形成されていることを特徴とする請求項１から４のいずれか一項に記載のディスクドライブ装置。
【発明の詳細な説明】
【技術分野】
【０００１】
本発明は、ＤＶＤやＣＤ等の光ディスク、磁気ディスクや光磁気ディスク等の各ディスクを回転駆動するディスクドライブ装置に関する。より詳細には、ディスクが回転したときの変形を抑制するための構造を備えたディスクドライブ装置に関する。
【背景技術】
【０００２】
ディスクドライブ装置にセットしたディスクの回転数を上げていく、又は下げていく過程でディスクに一時的な変形（撓み）が発生することが知られている。光ディスクドライブ装置の場合について説明する。光ディスクドライブ装置内には、ディスクの半径方向に移動して情報の再生及び／又は記録を行う光ピックアップ装置が設置されている。この光ピックアップ装置はディスク面に対して垂直にレーザ光を照射し、反射光を読取ることでディスクから情報を再生する。また、ディスクに対して情報を書込む場合にも、同様にディスク面に対して垂直にレーザ光を照射する。
【０００３】
よって、ディスクが回転に伴って変形してしまうと情報の再生時や記録時にエラーが発生する場合がある。図４は、回転数（ｒｐｍ）の変化でディスクＤに発生する変形の様子を示した図である。この図からディスクＤの変形が回転数（ｒｐｍ）により複雑に変化することが分かる。さらに、図５はディスクの変形と回転数との関係をまとめたグラフである。このグラフは１３００ｒｐｍでのディスク高さを基準に示している。このグラフによっても回転数によりディスクが複雑に変形することを確認できる。このようにディスクが変形する原因は複数があるが、ディスクが回転したときに発生する装置内での空気密度差や空気の流れが要因の一つと考えられている。上記のようにディスクが変形すると記録・再生時にエラーが発生してディスクドライブ装置の信頼性が低下してしまう。
【０００４】
そこで、ディスクの回転に伴って発生する変形を抑制するため、従来から複数の提案がなされている。例えば、特許文献１は仕切壁や中間プレートを配置して装置空間内を仕切り、気体の流れを制御するようにしたディスクドライブ装置を提案する。また、特許文献２は筐体の上部を覆う蓋体のディスク収納部に内側に向かって突出する円環状の凸部を設けたディスクドライブ装置を提案する。このディスクドライブ装置は凸部を設けることにより装置内の流れを整流するようにしている。さらに、特許文献３は、装置のトップケース（蓋体）の内面に、ピックアップの移動方向と直交する方向に延在すると共にディスク側に突出させた突部を備えるディスクドライブ装置を提案する。この装置は突部によって装置内部の空気の流れを遮断してディスク周方向への空気の流れを抑制する。
【０００５】
【特許文献１】特開２００１−６３２５号公報
【特許文献２】特開２００４−１０３１７８号公報
【特許文献３】特開２００５−７８７０３号公報
【発明の開示】
【発明が解決しようとする課題】
【０００６】
上記のように従来にあっては回転するディスクによって発生する空気流を規制或いは制御するために突出部材を配置するという手法が広く採用されている。すなわち、従来ではディスクと対向する仕切壁を新たに配置したり、筐体や蓋部に凸部や突起を設けて空気流を規制或いは制御する部材を配置するという対策が広く採用されている。
【０００７】
しかしながら、ディスクドライブ装置についても他の装置と同様に小型化の要請が大きくなっており、ディスク周辺のスペースが極めて小さいなっている。その結果、筐体面とディスク面とが近接している。よって、筐体に空気流を規制する効果のある突起等を配設すること自体が困難となっている。また、仮に突起を設けることができてもディスクとの距離が極めて接近してしまった場合には、ディスク回転時に生じる空気の流れでディスクと突起の間に負圧が発生し、却ってディスクの変形を助長してしまう場合がある。
【０００８】
本発明は、上記従来の課題を解決するものであり、ディスクと筐体との間隔が狭くても回転時のディスク変形を抑制できるディスクドライブ装置を提供することである。
【課題を解決するための手段】
【０００９】
上記目的は、ディスクを回転駆動し、前記ディスクに記録された情報の再生及び／又は前記ディスクに情報を記録するディスクドライブ装置であって、前記ディスクと対向して配置されるハウジング部材を備え、該ハウジング部材が前記ディスクの回転中心を中心点とする同心円上に複数の開口部を有しているディスクドライブ装置により達成できる。
【００１０】
本発明によると、筐体の一部をなしディスクに対向して配置されるハウジング部材が、ディスクの回転中心を中心点とする同心円上に複数の開口部を有している。これらの開口部はディスクが回転したときに発生する装置内での空気密度差や空気流を効果的に減衰させることができる。しかも、開口を形成するものであるから、従来のように空気流制御用の突起部材を配置する場合と比較して、ハウジング部材をディスクに接近配置できる。よって、装置の小型に対応することもできる。
【００１１】
また、半径が異なる複数の同心円が設定され、前記開口部が前記ディスクの半径方向へ多重に配置されている構造を採用してもよい。この場合に、外側の開口部の割合を内側より大きくすることが好ましい。また、前記開口部が、長穴、丸穴及びこれらの組合せのいずれかにより形成されている構造でもよい。
【００１２】
また、前記開口部が、前記ディスクを前記ハウジング部材に垂直投影したときの投影内に形成されていることが望ましい。ディスクの投影内に開口部を配置するとディスク変形の原因となる空気流等を効率良く低減できる。
【００１３】
そして、前記ハウジング部材を外側から覆うトップケースを更に備えており、前記ハウジング部材と前記トップケースとの間には、前記複数の開口部の少なくとも一部を互いに接続する空間が形成されている構造を採用してもよい。この場合には、開口部のあるハウジング部材の上部をトップケースが覆うので内部への埃の侵入を抑制できる。また、装置上部にハウジング部材とトップケースとを配置することで強度を向上させることができる。そして、ハウジング部材と前記トップケースとの間に開口部を接続する空間を確保しておくことで、ハウジング部材に設けた開口部による効果を維持することができる。
【発明の効果】
【００１４】
本発明によると、ディスクと筐体との間隔が狭くても回転時のディスク変形を抑制できるディスクドライブ装置を提供できる。
【発明を実施するための最良の形態】
【００１５】
以下、さらに図面を参照して本発明の一実施形態に係るディスクドライブ装置について説明する。図１は、ディスクドライブ装置１について示した分解斜視図である。ディスクドライブ装置１は、メインシャーシに装置の主要部を組込んで形成されている装置本体部２、この装置本体部２の上部を覆うカバー部３及び装置本体部２の前側にセットされるフロンカバー４を含んで構成されている。
【００１６】
装置本体部２の内部には、ディスクＤをチャッキングして所定方向に回転するターンテーブル５等が組込まれている。このディスクドライブ装置１は、いわゆるスロットインタイプの装置であり、装置本体部２の前面側にディスク挿入口６が形成されている。よって、フロンカバー４のディスク挿入口６と対向する部分にはディスク挿入用のスロット７が形成されている。また、カバー部３は装置上部を覆う筐体の一部分であり、ハウジング部材１０と、このハウジング部材１０を外側から覆うように配置されるトップケース２０とを含んでいる。
【００１７】
上記ハウジング部材１０はターンテーブル５にセットされたディスクＤと近接して配置されている。ハウジング部材１０は下面（ディスク側の面）がディスクＤの上面から例えば２．５５ｍｍ〜３．５５ｍｍ程度（本実施例では３．０５ｍｍ程度）に接近して配置されている。ハウジング部材１０の中央部にはチャッキングプーリ１１がセットされている。よって、装置本体側のターンテーブル５とハウジング部材１０のチャッキングプーリ１１との間にディスクＤが挟持されて回転される。
【００１８】
上記ハウジング部材１０は特徴的な形状に形成されている。図２は、図１のハウジング部材１０を取出して示している平面図である。この図２も参照して、ハウジング部材１０について詳細に説明する。
【００１９】
ハウジング部材１０は、ディスクＤの回転中心を中心点とする同心円上に複数の開口部１２を有している。ハウジング部材１０がこのように同心的に配置された複数の開口部１２を備えた構造であると、ディスクＤが回転したときに発生する空気流や空気密度差を開口部で減衰させることができるので、ディスク回転に伴って発生する変形を抑制できる。本実施例の場合には、ハウジング部材１０にチャッキングプーリ１１が設けられているので、プーリの回転中心を中心点ＣＴとして同心円上に複数の開口部１２が配置される。開口部１２の形状は特に限定する必要はない。ここでは長穴状（スリット状）とした場合を例示している。また、開口部１２は同心的に多重に配置することが望ましい。ここでは開口部１２を２重（ディスクＤの半径方向へ２段）にして配置した場合を一例として示している。
【００２０】
また、開口部１２はチャッキングされたディスクＤをハウジング部材１０上に垂直投影したときに、その投影内に存在するように形成することが望ましい。ディスクＤが回転したときにはディスクに近い部分により強い空気流が発生するので、投影内に開口部１２を設定することで変形の原因となる空気密度差や空気流を効率良く低減させることができる。さらに、図示しているようにディスクＤの周縁部の開口部１２を大き目（長目）に形成することが望ましい。すなわち、最も外側に形成する開口部１２の割合（開口部が形成されている円周長に対する開口存在率、以下「開口率」という）を内側より大きくすることが望ましい。最外周の開口率は例えば６０％以上とすることが望ましい。本願発明者は、このような範囲に設定するとディスクＤが回転したときに発生する空気密度差や空気流をより効果的に低減し、ディスクＤの変形を抑制できることを確認している。
【００２１】
上記のようにディスクドライブ装置１は、開口部１２を備えるハウジング部材１０をディスクＤに対向するように配置するだけで、ディスクＤが回転したときに生じるディスク変形を抑制できる。また、ディスクＤを回転させたときには多量の熱が発生するので、上部を広範囲に開放した形態となるハウジング部材１０は、放熱効果がある構造となる点でも好ましい。
【００２２】
ディスクドライブ装置１は、装置本体部２の上部にハウジング部材１０だけをセットした形態で使用することも可能である。例えばディスクドライブ装置１がコンピュータ内に組込まれ一体化されるような場合には、ディスクドライブ装置１に埃が侵入する虞が少ないのでこのような形態としてもよい。
【００２３】
しかし、ディスクドライブ装置１を単独で使用する場合、また、ディスクドライブ装置１内への埃の侵入を確実に防止したい場合には、上部に開口があるハウジング部材１０を覆う部材を設けることが望ましい。そこで、本実施例では装置本体部２の上部を覆うカバー部３を、ハウジング部材１０とこれを外側から覆うトップケース２０とで形成している。しかし、トップケース２０によりハウジング部材１０を覆うと、上記開口部１２を設けたことによる前述の変形抑制効果が減衰することが予想される。
【００２４】
そこで、図示するように開口部１２が存在する領域を段状として、僅かに下側にへこませた形状として対処する。図では段部を参照符号１３で、へこみ領域を参照符号ＡＲ示している。このようにへこみ領域ＡＲを形成しておくことで、ハウジング部材１０上にトップケース２０をセットしてもハウジング部材１０とトップケース２０との間には開口部１２を接続する空間が確保できるので開口部１２を設けた効果を維持できる。なお、へこみ領域ＡＲを形成するとハウジング部材１０の一部が下側に突出した状態となるが、その突出量は極僅かである。すなわち、先に従来装置の問題として指摘した空気流を整流するための突起部材とは異なり、小さな突出量であるのでディスクＤの回転に影響を及ぼすことはない。上記へこみ領域ＡＲはその下面がディスクＤの上面から、例えば１．６５ｍｍ〜２．６５ｍｍ程度（本実施例では、２．１５ｍｍ程度）に接近して形成されている。つまりハウジング部材１０に設ける上記へこみ領域ＡＲは０．９ｍｍ程度の極僅かな変形（突出量）である。
【００２５】
また、図１及び図２で図示する例では２個のへこみ領域ＡＲに分割して形成した場合を示しているが、このような形態に限るものではない。更に分割して３個以上としてもよいし、これとは逆に１個のへこみ領域ＡＲを形成してもよい。ハウジング部材１０の形状は、他の部材との関係で規制を受けることになる。よって、可能な領域に上記へこみ領域ＡＲを適宜に形成すればよい。
【００２６】
図３は、上記ハウジング部材１０の変形例について示した図である。上述した実施例では開口部１２を長穴とした場合を例示したが、図３（Ａ）で示すように開口部１２を丸穴として複数配置してもよいし、図３（Ｂ）で示すように開口部１２を長穴と丸穴との組合せで複数配置してもよい。なお、この図３で示す変形例も一例である。開口部１２の形状がこれらに限定されるものではない。
【００２７】
また、前述した実施例ではディスクＤの半径方向に２重の同心円を設定して、これらの同心円上に開口部１２を配置した場合を例示しているが、多重に配置する形態についてもこれに限らない。さらに、３重、４重の同心円を設定して開口部を配置してもよい。これとは逆に、ディスクＤの外縁部に相当する部分に１個の同心円を設定し、この円上にだけ開口部を配置する形態としてもよい。
【００２８】
以上説明したように、実施例のディスクドライブ装置１はディスクＤに対向して配置するハウジング部材に、ディスクＤの回転中心に対して同心円的な開口部を複数形成するという簡単な構造で前述した変形の発生を抑制できる。ディスクドライブ装置１は従来装置のようにディスク側に突出する部材を配置することなく、開口部を設けることによりディスク回転中に発生する気流を制御する。よって、ディスク上方の空間が狭い場合にも本発明を適用できる。なお、上記ハウジング部材１０はディスクドライブ装置１の一部を成す部材であり、この部材に開口部１２を形成するという簡単な変更をするだけであるので本発明は低コストで実現できるというメリットもある。
【００２９】
上記実施例は光ディスクを用いるディスクドライブ装置について説明したが、これに限定するものではない。磁気ディスクや光磁気ディスク等の他のディスクを用いるディスクドライブ装置でも記録や再生を行うヘッド部はディスク面に対して垂直に維持することが必要である。よって、本発明はディスクを回転駆動させるディスクドライブ装置に広く適用できる。
【００３０】
以上本発明の好ましい一実施形態について詳述したが、本発明は係る特定の実施形態に限定されるものではなく、特許請求の範囲に記載された本発明の要旨の範囲内において、種々の変形・変更が可能である。
【図面の簡単な説明】
【００３１】
【図１】一実施形態に係るディスクドライブ装置について示した分解斜視図である。
【図２】図１のハウジング部材を取出して示している平面図である。
【図３】ハウジング部材の変形例について示した図である。
【図４】回転数の変化でディスに発生する変形の様子を示した図である。
【図５】ディスクの変形と回転数との関係をまとめたグラフである。
【符号の説明】
【００３２】
１                  ディスクドライブ装置
２                  装置本体部
３                  カバー部
４                  フロントカバー
５                  ターンテーブル
６                  ディスク挿入口
１０                ハウジング部材
１１                チャッキングプーリ
１２                開口部
２０                トップカバー
Ｄ                  ディスク
ＣＴ                ディスクの回転中心
【図１】
2006338839.tif 000003
【図２】
2006338839.tif 000004
【図３】
2006338839.tif 000005
【図４】
2006338839.tif 000006
【図５】
2006338839.tif 000007